(57)【要約】【課題】外装ケース１内に支持される放熱ケース３にバーナケース２を吊り下げ状態で連結する燃焼装置において、バーナケースの取り外しの容易性を損なうことなく、振動によるバーナケース２の揺れを防止できるようにする。【解決手段】バーナケース２の底面の窪み部２４に内接する上面の位置決め部材８１を有する支持板８を設ける。外装ケース１に、支持板８の前端部を固定する固定部１４と、支持板８の後縁部を支持する受け部１５とを設けると共に、受け部から前方に向かって斜め下方にのびるガイド部１７を設ける。支持板８を外装ケース１内に前方から挿入したとき、ガイド部１７に沿った支持板８の後縁部の上昇により、位置決め部材８１がバーナケース２の底面の窪み部２４に導き入れられるようにする。【選択図】図３
2005291519.tif 000002
【特許請求の範囲】
【請求項１】
外装ケース内に、バーナケースとバーナケースの上方に連設される放熱ケースとを収納して成る燃焼装置であって、バーナケースを放熱ケースに吊り下げ状態で連結するものにおいて、
バーナケースの底面を上方に窪んだ形状に形成すると共に、バーナケースの底面の窪み部の周壁部に内接可能な上面の位置決め部材を有する支持板を備え、
支持板は、外装ケース内のバーナケースの下方空間に前方から挿入自在であり、外装ケースには、バーナケースの底面の窪み部の周壁部に位置決め部材が内接する状態になる所定位置に支持板を位置させた状態で支持板の前端部を固定可能な固定部と、前記所定位置に存する支持板の下面後縁部を受ける受け部と、受け部から前方に向かって斜め下方にのびるガイド部とが設けられ、ガイド部の傾斜角は、外装ケース内に支持板を前方から挿入したときに、ガイド部に沿った支持板の後縁部の上昇により、位置決め部材がバーナケースの底面の窪み部に導き入れられるように設定されていることを特徴とする燃焼装置。
【請求項２】
前記支持板上には、前記バーナケースの底面の前記窪み部の上底部に弾力的に当接するばね部材が設けられていることを特徴とする請求項１記載の燃焼装置。
【発明の詳細な説明】
【技術分野】
【０００１】
本発明は、外装ケース内に、バーナケースとバーナケースの上方に連設される放熱ケースとを収納して成る石油温風暖房機等の燃焼装置に関する。
【背景技術】
【０００２】
従来、この種の燃焼装置では、一般に、バーナケースがブラケット等を介して外装ケースに複数箇所でねじ止めされ、バーナケースの上に放熱ケースが固定されている。このものでは、バーナケースに内蔵されるバーナ構成部品のメンテナンスのためにバーナケースを外装ケースから取り出す場合、放熱ケースをバーナケースから分離させた後、バーナケースの複数のねじ止め箇所を外すことが必要になり、その作業が面倒でメンテナンス性が悪くなる。
【０００３】
かかる不具合を解消するため、外装ケース内に支持される放熱ケースに向けてバーナケースを押し上げるレバー部材を設け、レバー部材による押し上げでバーナケースの上端のフランジを放熱ケースの下端のフランジに当接させるようにしたものも知られている(例えば、特許文献１参照)。このものでは、レバー部材の操作によりバーナケースを下降させるだけで、外装ケースからバーナケースを取り出すことができ、メンテナンス性が向上する。
【０００４】
然し、バーナケースの上端のフランジと放熱ケースの下端のフランジとの間の気密性を確保するには、バーナケースをレバー部材で強く押し上げる必要があると共に、放熱ケースがバーナケースの押上げ力で上方に変位することを防止するため、放熱ケースを外装ケースに強固に固定する必要があり、放熱ケースの固定構造が複雑化してしまう。
【０００５】
外装ケースからのバーナケースの取り出しを容易にする他の手法として、バーナケースを放熱ケースに吊り下げ状態で連結することも考えられる。これによれば、バーナケースを放熱ケースから分離するだけで、外装ケースからバーナケースを取り出すことができ、メンテナンス性が良くなる。然し、このようにバーナケースを放熱ケースに吊り下げる場合、バーナケースが外装ケースに対し位置決め固定されないため、振動でバーナケースが揺れやすくなり、振動に対して弱くなる。
【特許文献１】特開２００３−５６８４２号公報
【発明の開示】
【発明が解決しようとする課題】
【０００６】
本発明は、以上の点に鑑み、バーナケースを放熱ケースに吊り下げ状態で連結する場合の利点であるメンテナンス性を損なうことなく、バーナケースの揺れを防止して、耐振動性を向上し得るようにした燃焼装置を提供することをその課題としている。
【課題を解決するための手段】
【０００７】
上記課題を解決するために、本発明は、外装ケース内に、バーナケースとバーナケースの上方に連設される放熱ケースとを収納して成る燃焼装置であって、バーナケースを放熱ケースに吊り下げ状態で連結するものにおいて、バーナケースの底面を上方に窪んだ形状に形成すると共に、バーナケースの底面の窪み部の周壁部に内接可能な上面の位置決め部材を有する支持板を備え、支持板は、外装ケース内のバーナケースの下方空間に前方から挿入自在であり、外装ケースには、バーナケースの底面の窪み部の周壁部に位置決め部材が内接する状態になる所定位置に支持板を位置させた状態で支持板の前端部を固定可能な固定部と、前記所定位置に存する支持板の下面後縁部を受ける受け部と、受け部から前方に向かって斜め下方にのびるガイド部とが設けられ、ガイド部の傾斜角は、外装ケース内に支持板を前方から挿入したときに、ガイド部に沿った支持板の後縁部の上昇により、位置決め部材がバーナケースの底面の窪み部に導き入れられるように設定されていることを特徴とする。
【０００８】
本発明によれば、支持板上の位置決め部材がバーナケースの底面の窪み部の周壁部に内接することで、バーナケースが位置決めされるため、振動によるバーナケースの揺れが防止され、耐振動性が向上する。
【０００９】
ところで、このように支持板を設けると、メンテナンスのためにバーナケースを放熱ケースから分離して取り出す際、先ず、支持板を外装ケースから取り外すことが必要になる。そして、支持板の取り外しが面倒になると、バーナケースを容易に取り出せなくなり、メンテナンス性が損なわれる。ここで、支持板は、その後縁部を受け部に支持させた状態で、前端部を固定部に固定することにより上記所定位置に固定されている。従って、固定部における支持板の固定を解除することにより、支持板を外装ケースから取り出すことができる。そして、固定部は支持板の前端部を固定するものであるため、当然のことながら外装ケースの前側に位置しており、支持板の固定解除を奥まった箇所に手を差し入れて行う必要がなく、支持板の取り出し作業が容易になり、メンテナンス性を損なうことはない。
【００１０】
更に、本発明によれば、外装ケース内に支持板を前方から挿入したときに、ガイド部に沿った支持板の後縁部の上昇により、位置決め部材がバーナケースの底面の窪み部に導き入れられ、この状態で支持板の後縁部が受け部に載る。そのため、外装ケースに前方から支持板を挿入するだけで、面倒な位置合わせを行うことなく、位置決め部材をバーナケースの底面の窪み部の周壁部に内接させ、且つ、支持板を受け部に支持させることができる。従って、支持板の取り付け作業も容易になり、メンテナンス性が一層向上する。
【００１１】
尚、バーナケースの位置決めだけを考えるのであれば、バーナケースの底面をフラットにし、バーナケースの下部外周に外接するように位置決め部材を構成しても良い。然し、これでは、本発明のようにガイド部に沿って支持板の後縁部を上昇させる際、バーナケースの下部外周の後側の部分に外接すべき位置決め部材の部分がバーナケースの底面に干渉してしまう。干渉を避けるには、支持板をバーナケースに対し位置合わせしてから上昇させることが必要になり、支持板の取付け作業が面倒になる。従って、本発明のようにバーナケースの底面を上方に窪んだ形状に形成して、バーナケースの底面の窪み部の周壁部に内接するように位置決め部材を構成することが必要になる。
【００１２】
また、支持板上に、位置決め部材に加えて、バーナケースの底面の窪み部の上底部に弾力的に当接するばね部材を設けておけば、バーナケースの上下方向のガタツキも防止できる。尚、位置決め部材をバーナケースの底面の窪み部の上底部に当接させることも考えられるが、これではバーナケースの寸法公差等でその上底部の位置が上下方向にずれた場合、支持板の位置も上下方向にずれて、支持板を外装ケースの固定部にうまく固定できなくなる。これに対し、支持板上に上記ばね部材を設ける場合には、バーナケースの上底部の位置が上下方向にずれても、このずれはばね部材の弾性変形で吸収され、上記の不具合は生じない。
【発明を実施するための最良の形態】
【００１３】
以下、図１に示す燃焼装置たる石油温風暖房機に本発明を適用した実施形態について説明する。図１において、１は石油温風暖房機の外装ケースである。この外装ケース１は、取り外し自在な前面パネル１１を備え、前面パネル１１には、複数のルーバ１１ｂを装着した温風吹出し口１１ａが開設されている。
【００１４】
外装ケース１内には、図２に示す如く、バーナケース２と、バーナケース２の上方に連設される放熱ケース３と、放熱ケース３の上方に連設される放熱器４とが収納されている。
本実施形態でバーナケース２は、ポット式バーナの有底円筒状の胴体で構成され、点火ヒータ(図示せず)の装着穴２１と燃料ノズル(図示せず)の装着穴２２とが形成されている。尚、ポット式以外のバーナを収納するケーシングでバーナケース２を構成しても良く、また、バーナケース２の形状も円筒状に限られない。放熱ケース３内には、バーナケース２からの燃焼排気により赤熱される赤熱体(図示せず)が収納されている。そして、放熱ケース３の前面にガラス板を装着した窓部３１を開設し、赤熱体からの輻射熱が窓部３１と温風吹出し口１１ａとを通して前方に放射されるようにしている。放熱器４は、放熱ケース３からの燃焼排気を通過させて、燃焼排気の熱を放出させるものである。そして、外装ケース１の背面に設けた対流ファン(図示せず)から外装ケース１内に送風される室内空気を放熱器４から放出される排気熱で加熱し、温風として温風吹出し口１１ａから吹出すようにしている。放熱器４の下流端には排気ダクト５が接続されている。
【００１５】
放熱器４は、外装ケース１内の上部の左右に設けたブラケット１２，１２に固定されている。そして、放熱器４に放熱ケース３をその上端の排気口３２において嵌合固定し、放熱ケース３が外装ケース１内に宙吊り状態で支持されるようにしている。また、バーナケース２は、その上端のフランジ２３を放熱ケース３の下端のフランジ３３に連結した状態で放熱ケース３に吊り下げられている。
【００１６】
これを図３〜図６を参照して詳述する。バーナケース２の上端のフランジ２３は、該フランジ２３の左右両側部の下面に当接可能な前後方向に長手の左右一対のクランプバー６，６を用いて、放熱ケース３の下端のフランジ３３に連結される。放熱ケース３の下端のフランジ３３の左右の各側部の下面には、バーナケース２の上端のフランジ２３の当接範囲よりも後方に位置させて、各クランプバー６の後端部を上下方向に傾動自在に支持するバー支持部３４が設けられている。ここで、本実施形態では、バーナケース２の上端のフランジ２３の左右の各側部の後部に切欠き２３ｂを形成しており、この切欠き２３ｂに対応する放熱ケース３の下端のフランジ３３の左右の各側部の後部は、バーナケース２の上端のフランジ２３の当接範囲よりも後方に位置する。そして、放熱ケース３の下端のフランジ３３の左右の各側部の後部に下方への切起し片を形成し、この切起し片でバー支持部３４を構成している。バー支持部３４には前後方向に貫通する透孔３４ａ(図６参照)が形成されており、この透孔３４ａにクランプバー６の後端部を挿通することにより、バー支持部３４にクランプバー６が上下方向に傾動自在に、且つ、前後方向に移動自在に支持される。
【００１７】
また、各クランプバー６の前端寄りの部分にはねじ孔６１が形成されている。そして、このねじ孔６１に、放熱ケース３の下端のフランジ３３に形成した透孔３３ａとバーナケース２の上端のフランジ２３に形成した透孔２３ａとを通して螺合するボルト７を設けている。これによれば、ボルト７の締め込みによりクランプバー６がバー支持部３４を支点にして上方に引き上げられ、図３及び図４に示す如く、バーナケース２の上端のフランジ２３の左右の各側部がクランプバー６と放熱ケース３の下端のフランジ３３との間に挟み込まれる。かくして、バーナケース２の上端のフランジ２３がクランプバー６を介して作用するボルト７の締め付け力により放熱ケース３の下端のフランジ３３に強く押し付けられ、両フランジ２３，３３間、即ち、バーナケース２と放熱ケース３との間の気密性が確保される。尚、ボルト７を手で容易に操作できるように、ボルト７の頭部７１は比較的長手に形成されている。
【００１８】
ところで、温風暖房機を長期に亘って使用するには、定期的にバーナケース２を外装ケース１から取り出して、バーナケース２内のバーナ構成部品のメンテナンス作業を行う必要性がある。本実施形態では、一対のクランプバー６，６に対応する前側の２個のボルト７、７を外すだけで、バーナケース２を放熱ケース３から分離して外装ケース１の前方に容易に取り出すことができ、メンテナンス性が良くなる。
【００１９】
ここで、各クランプバー６の前端には、放熱ケース３の下端のフランジ３３の前端部の上面上に回りこむフック部６２が形成されている。そのため、ボルト７を外したときに、図５(ａ)に示す如く、フック部６２が放熱ケース３の下端のフランジ部３３に係合して、クランプバー６の下方への傾動が阻止され、クランプバー６によりバーナケース２が支えられる。従って、バーナケース２が落下して破損することを防止するために、ボルト７を外す際にバーナケース２を手で支えなくても済む。また、バーナケース２を放熱ケース３に連結する際にも、クランプバー６によりバーナケース２を支えることができるため、バーナケース２を手で支えずにボルト７を締め込むことができる。その結果、バーナケース２の取り外し作業及び取付け作業が容易になる。
【００２０】
尚、本実施形態では、ボルト７を外す前の状態において、フック部６２は放熱ケース３の下端のフランジ３３から浮いており、ボルト７を外したときに、フック部６２がフランジ３３に係合するまでクランプバー６が若干下方に傾動する。このようにしたのは、ボルト７の締め込みが為されたか否かをフランジ３３に対するフック部６２の浮き具合で容易に目視確認できるようにするためである。ボルト７を外す前からフック部６２がフランジ３３に係合するように構成しても勿論良い。
【００２１】
また、各クランプバー６の後端には、バー支持部３４に係合してクランプバー６を抜け止めするストッパ部６３が曲成されているが、このストッパ部６３は、ボルト７によりクランプバー６を引き上げてバーナケース２を放熱ケース３に連結する状態において、バー支持部３４の後方に所定距離離れている。そのため、ボルト７を外したとき、この所定距離に等しいストローク分だけクランプバー６を前方に引出すことができる。そして、クランプバー６をこのストローク分前方に引き出すことで、フック部６２が放熱ケース３の下端のフランジ３３の前方に離脱されるようにしている。かくして、ボルト７を外した後、図５(ｂ)に示す如く、クランプバー６を前方に引き出すことにより、放熱ケース３の下端のフランジ３３に対するフック部６２の係合を解除することができる。これによれば、図６に示す如く、クランプバー６が下方に傾動し、クランプバー６に邪魔されることなくバーナケース２を外装ケース１の前方に取り出すことができる。
【００２２】
ところで、上記の如くバーナケース２を放熱ケース３に吊り下げた状態で連結すると、振動でバーナケース２が揺れやすくなり、振動に対して弱くなる。そこで、本実施形態では、外装ケース１内に、図３に示す如く、バーナケース２の下方に位置させて支持板８を配置し、支持板８上に固設した位置決め部材８１によりバーナケース３を位置決めできるようにしている。
【００２３】
ここで、バーナケース２の底面は上方に窪んだ形状に形成されている。そして、位置決め部材８１は、図７に示す如く、バーナケース２の底面の窪み部２４の周壁部２４ａに内接する方形の台枠状に形成されている。尚、窪み部２４の周壁部２４ａに内接する複数のピンで位置決め部材を構成することも可能である。また、支持板８上には、位置決め部材８１の上面に位置させて、バーナケース２の底面の窪み部２４の上底部２４ｂに弾力的に当接する板ばねから成るばね部材８２が設けられている。
【００２４】
支持板８は、前面パネル１１を取り外した状態で、外装ケース１内のバーナケース２の下方空間に前方から挿入自在である。外装ケース１内には、バーナケース２の配置部の左右両側に位置する断熱板１３，１３が設けられており、両断熱板１３，１３により支持板８の横方向の位置ずれが防止されるようにしている。また、外装ケース１には、バーナケース２の底面の窪み部２４の周壁部２４ａに位置決め部材８１が内接する状態になる所定位置に支持板８を位置させた状態で支持板８の前端部を固定可能な固定部１４と、前記所定位置に存する支持板８の下面後縁部を受ける受け部１５とが設けられている。支持板８の前端の左右両側部には、左右の断熱板１３，１３の前縁に重なる固定片８３，８３が設けられている。そして、左右の各断熱板１３の前縁に固定片８３をねじ止めするためのねじ孔を形成し、このねじ孔で上記固定部１４を構成している。また、外装ケース１内の背面側に設けた断熱板１６の下縁の折曲げ部で前記受け部１５を構成している。尚、背面側の断熱板１６は、図２で左側の断熱板１３と一体に形成されている。
【００２５】
また、断熱板１６には、受け部１５から前方に向かって斜め下方にのびる舌片状のガイド部１７が形成されている。そのため、外装ケース１に前方から支持板８を挿入すれば、支持板８の後縁部はガイド部１７に案内されて自然に受け部１５に載る。また、ガイド部１７の傾斜角は、外装ケース１内に支持板８を前方から挿入したときに、ガイド部１７に沿った支持板８の後縁部の上昇により、図３に仮想線で示す如く、位置決め部材８１がバーナケース２の底面の窪み部２４に導き入れられるように設定されている。従って、外装ケース１に前方から支持板８を挿入するだけで、面倒な位置合わせを行うことなく、位置決め部材８１をバーナケース２の底面の窪み部２４の周壁部２４ａに内接させ、且つ、支持板８を受け部１５に支持させることができ、支持板８の取付け作業が容易になる。
【００２６】
支持板８の前端の固定片８３を断熱板１３の前縁の固定部１４にねじ止めすれば、固定部１４と受け部１５とで支持板８は上記所定位置に安定に支持される。そして、バーナケース２の底面の窪み部２４の周壁部２４ａに内接する支持板８上の位置決め部材８１によりバーナケース２が定位置に位置決めされて、振動によるバーナケース２の揺れが防止される。更に、支持板８上のばね部材８２により、バーナケース２の上下方向のガタツキも防止され、耐振動性が向上する。
【００２７】
尚、位置決め部材８１をバーナケース２の底面の窪み部２４の上底部２４ｂに当接させることも考えられるが、これではバーナケース２の寸法公差等でその上底部２４ｂの位置が上下方向にずれた場合、支持板８の位置も上下方向にずれて、支持板８の固定片８３を断熱板１３に設けた固定部１４にうまくねじ止めできなくなる。これに対し、支持板８上に上記ばね部材８２を設ける場合には、バーナケース２の上底部２４ｂの位置が上下方向にずれても、このずれはばね部材８２の弾性変形で吸収され、上記の不具合は生じない。
【００２８】
メンテナンスのためにバーナケース２を外装ケース１から取り出す場合、先ず、支持板を外装ケースから取り外すことが必要になる。そして、支持板８の取り外しが面倒になると、バーナケース２を容易に取り出せなくなり、メンテナンス性が損なわれる。ここで、支持板８のねじ止め箇所は、その前端の固定片８３だけであり、支持板８の後縁部は受け部１５に支持されるだけでねじ止めされていない。従って、外装ケース１の前側で固定片８３のねじ止めを解除することにより、支持板８を外装ケース１から取り出すことができる。そのため、支持板８の固定解除を奥まった箇所に手を差し入れて行う必要がなく、支持板８の取り出し作業が容易になり、メンテナンス性を損なうことはない。
【００２９】
以上、石油温風暖房機に本発明を適用した実施形態について説明したが、これ以外の燃焼装置にも同様に本発明を適用できる。
【図面の簡単な説明】
【００３０】
【図１】本発明の実施形態の燃焼装置の外観を示す斜視図。
【図２】図１の燃焼装置の外装ケースの前面パネルを取り外した状態の正面図。
【図３】図２のＩＩＩ−ＩＩＩ線で切断した拡大切断側面図。
【図４】放熱ケースとバーナケースの連結状態の斜視図。
【図５】(ａ)放熱ケースからバーナケースを分離する第１段階の状態を示す側面図、(ｂ)放熱ケースからバーナケースを分離する第２段階の状態を示す側面図。
【図６】放熱ケースからバーナケースを分離した状態の斜視図。
【図７】図２のＶＩＩ−ＶＩＩ線で切断した拡大切断平面図。
【符号の説明】
【００３１】
１…外装ケース、１４…固定部、１５…受け部、１７…ガイド部、２…バーナケース、２４…バーナケースの底面の窪み部、２４ａ…窪み部の周壁部、２４ｂ…窪み部の上底部、３…放熱ケース、８…支持板、８１…位置決め部材、８２…ばね部材。
【図１】
2005291519.tif 000003
【図２】
2005291519.tif 000004
【図３】
2005291519.tif 000005
【図４】
2005291519.tif 000006
【図５】
2005291519.tif 000007
【図６】
2005291519.tif 000008
【図７】
2005291519.tif 000009